(57)【特許請求の範囲】
【請求項１】
陸上、および、水中で使用可能なカメラにおいて、
被写体に向けて発光可能なストロボ部と、
上記被写体の明るさが所定の判定レベルよりも暗い場合、撮影時に上記ストロボ部の発光制御を行う制御回路と、
を具備し、
上記制御回路は、水中撮影時は陸上撮影時よりもストロボ発光しやすくなるように上記判定レベルを切り換えるとともに、陸上撮影時よりも発光量が多くなるようにＧＮｏを発光量、ＦＮｏを撮影時のカメラの絞り、Ｌを被写体距離、αを水中でのストロボ光の吸収係数として、
ＧＮｏ＝ＦＮｏ×Ｌ×ｅ２αＬ
に基づいて発光量を算出して、制御することを特徴とするカメラ。
【発明の詳細な説明】
【０００１】
【発明の属する技術分野】
本発明は、水中でも陸上でも利用可能なカメラの技術に関し、より詳しくは、水中においても、正しい露出のために調光可能なストロボ装置を有するカメラに関するものである。
【０００２】
【従来の技術】
近年、アウトドアライフの普及により、水中写真に対するユーザ指向や要求が高まっており、水中でも、空気中（陸上）でも使用可能なカメラである防水カメラ（水陸両用カメラ）に関する提案が種々なされている。
【０００３】
それら提案の中で、水中におけるストロボ装置に関するものとしては、例えば、実開昭６０−９８８３６号公報には、水中でのストロボ装置とカメラ本体の防水接続技術について記載されており、また、実開平３−３１７２１号公報には、水中検知センサを有し、水中であるかどうかに従ってカメラの制御を変更する手法が記載されている。
【０００４】
すなわち、上記実開昭６０−９８８３６号公報によれば、ストロボ装置とカメラ本体との間を弾性材で防水された空中パイプで連結して、ストロボ装置を収納位置と突出位置との間で移動可能にし、上記ストロボ装置とカメラ本体のストロボ装置収納部との接触面のいずれか一方、あるいは双方に水切りのため、溝あるいは突起を設けた防水カメラについて記載されている。
【０００５】
また、上記実開平３−３１７２１号公報によれば、水検知センサを設け、この水検知センサがカメラ周囲に水を検知したとき、レンズの進退をロックするレンズロック手段を設けたカメラについて記載されている。
【０００６】
【発明が解決しようとする課題】
しかしながら、上記実開昭６０−９８８３６号公報、及び実開平３−３１７２１号公報を含む従来技術はいずれも、カメラのホールディングが悪く、手ぶれを起こしやすい水中撮影において、手ぶれの影響を軽減する具体的な方法を開示していない。
【０００７】
本発明はこのような課題に着目してなされたものであり、その目的とするところは、カメラのホールディングが悪く、手ぶれを起こしやすい水中撮影において、手ぶれの影響を軽減することができるカメラを提供することにある。
【０００８】
【課題を解決するための手段】
上記の目的を達成するために、本発明のカメラの一態様は、陸上、および、水中で使用可能なカメラにおいて、被写体に向けて発光可能なストロボ部と、上記被写体の明るさが所定の判定レベルよりも暗い場合、撮影時に上記ストロボ部の発光制御を行う制御回路と、を具備し、上記制御回路は、水中撮影時は陸上撮影時よりもストロボ発光しやすくなるように上記判定レベルを切り換えるとともに、陸上撮影時よりも発光量が多くなるようにＧＮｏを発光量、ＦＮｏを撮影時のカメラの絞り、Ｌを被写体距離、αを水中でのストロボ光の吸収係数として、ＧＮｏ＝ＦＮｏ×Ｌ×ｅ２αＬに基づいて発光量を算出して、制御することを特徴とする。
【０００９】
また、第２の発明は、第１の発明に係るカメラにおいて、上記決定手段による被写体の明るさ判定レベルの切り換えは、水中判定された際にストロボ発光しやすくなる方向になされる。
【００１０】
【発明の実施の形態】
以下、図面を参照して本発明の実施形態を説明する。
【００１１】
図１は、本発明の第１実施形態に係るカメラの構成を示す図である。
【００１２】
同図において、ワンチップマイコン等から成る演算制御回路であるＣＰＵ（Central  Processing  Unit：ＣＰＵ）１には、被写体までの距離を測定する測距部２と、本カメラの使用環境が水中であるか、空気中（陸上）であるかを検知する水中検知部３が接続され、また、このＣＰＵ１には、低輝度下で所定の露出時間内で適正露出が得られないとき、これを発光させて露出を補助するストロボ部４と、シャッタ等から成り本カメラの露出を制御する露出制御部５が接続される。
【００１３】
上述のように構成されたカメラにおいて、ＣＰＵ１は測距部２、水中検知部３からの出力結果に基づいて、ストロボ部４と露出制御部５の制御を行う。
【００１４】
図２は、海水中での光の吸収特性を示すための図である。
【００１５】
同図に示すように、水中では波長依存性を有する吸収関数αによって光が吸収され、光の減衰が起こる。
【００１６】
つまり、水中でストロボ撮影を行うと、空気中とは異なりストロボ光が吸収される。このため、空気中で被写体を適正な光量で照らすことができる光量であっても、水中においては、同一距離にある同一被写体を適正な光量で照らすことができない。
【００１７】
そこで第１実施形態では、図１に示した構成により、カメラの使用環境が水中であるか否かを、水中検知部３で検知しその結果に基づいて、ストロボ部４の調光制御手段を切り換えるようにした。
【００１８】
ここで、空気中では、一般に被写体までの距離（被写体距離）をＬとし、撮影時のカメラの絞りをＦＮｏとすると、ストロボ部４の発光時の光量を示すガイドナンバ（以下ＧＮｏと記す）は、
ＧＮｏ＝ＦＮｏ×Ｌ                                    ・・・（１）
の関係となるとき、適正とされる。なお、これは使用するフィルム感度がＩＳＯ１００の場合である。ＩＳＯ（アイ・エス・オー）とは、国際標準化機構（International  Organization  for  Standerdization）のことであり、上記ＩＳＯ１００とは、ＩＳＯで定めたセンシトメトリー方法によって求められた写真スピードの一例である。
【００１９】
そこで、ストロボ内蔵カメラの場合、ＣＰＵ１は被写体距離Ｌ、及び絞りＦＮｏに応じて、ストロボ光の光量ＧＮｏが（１）式を満たすように、ストロボ部４を制御する。
【００２０】
第１実施形態では、水中では水の光の吸収係数αを考慮した調光を行うことを特徴としている。
【００２１】
ここで、水中において、被写体に対して光量Ｐ０にて投光された場合、被写体距離Ｌにおいて被写体からの反射光の光量をＰ１とすると、この関係は上記吸収係数αを用いて、
【数１】
0003806687.tif 000002
として表される。
【００２２】
したがって、水中でのストロボ発光の場合、投射時の往路と反射時の復路を考慮して上記（１）、（２）式より、ＧＮｏは、
【数２】
0003806687.tif 000003
とする必要がある。第１実施形態における水陸両用のストロボ付きのカメラでは、空気中では上記（１）式により調光を行ない、水中では上記（３）式を用いて調光を行うようにする。このとき上記吸収係数αは、例えば、ストロボ光の波長を考慮して、図２よりほぼ０．１とおくことができる。
【００２３】
また、いわゆるレンズシャッタカメラでは、絞りとシャッタが兼用となった機構をとるものが多いが、この場合、シャッタが所定の絞り値となったタイミングで、所定のＧＮoのストロボを発光させるという調光手法が公知となっている。このような調光手法を用いる上記レンズシャッタカメラにおいても、水中では上記（３）式を用いて調光を行うことができる。
【００２４】
なお、第１実施形態における調光は、すでに説明したようにＧＮｏを制御する方式でも良いし、また所定のＧＮｏのストロボ光を所定のＦＮｏのときに発光させる方式による制御でも良く、これらはカメラの構成によって選択すれば良い。
【００２５】
次に、本発明の第２実施形態に係るカメラについて説明する。
【００２６】
図３は、第２実施形態のカメラの構成を示す図である。
【００２７】
第２実施形態は、測距部・水中検知部１１により、被写体１２に対し測距用光を投光し、その反射光によって被写体距離を検出する。いわゆる、光投光型のアクティブ方式のオートフォーカス（ＡＦ）を応用している。水中では、図２に示したように赤外光、及び紫外光は吸収係数αが大きいため、第２実施形態では、光源として可視光成分の多いキセノン放電管（以下Ｘｅ管と記す）１３を用いている。
【００２８】
また、狭い範囲に測距用光を集光投光するために、Ｘｅ管１３の前に微小窓を有するマスク１３ａ、及び投光レンズ１４を配置している。
【００２９】
また、被写体１２からの反射光は２つの受光レンズ１５ａ、１５ｂを介して、２つの半導体光位置検出素子（ＰＳＤ）１６ａ、１６ｂにそれぞれ入射する。
【００３０】
図４は、上述した投光から受光までの光学系を示す図である。
【００３１】
三角測距の原理により、被写体距離Ｌが近距離になる程、入射光位置Ｘ１、Ｘ２は大きな値となる。ここで、距離Ｌの位置にある被写体を測距した場合、投光レンズ１４と受光レンズ１５ａ、１５ｂ間の距離を各々Ｓ１、Ｓ２とし、受光レンズ１５ａ、１５ｂとＰＳＤ１６ａ、１６ｂ間の距離をｆｊとすると、上記入射光位置Ｘ１、Ｘ２は、
Ｘ１ =Ｓ１・ ｆｊ／Ｌ、Ｘ２＝Ｓ２・ｆｊ／Ｌ            ・・・（４）
にて表すことができる。
【００３２】
なお、Ｘｅ管１３の光は、気体放電時の発光であるため発光毎に放電径路が変化して、図４に示したように設計上においてＡのように投光される光線が、発光時の条件によっては、Ｂのように傾いてしまうことがある。
【００３３】
しかし、図４に示したように、受光系を２つ用意し入射光位置Ｘ１、Ｘ２を加算する手法で測距演算を行えば、上述のように投光された場合の光線の傾きを補正することが可能となる。すなわち、
Ｌ＝（Ｓ１＋Ｓ２）・ｆｊ／（Ｘ１＋Ｘ２）            ・・・（５）
という上記（５）式を用いて測距演算を行えば、図４に示した誤差ΔＸ１、ΔＸ２が相殺されて、光線がＡ、Ｂのいずれの方向に投光されても正しい測距が可能となる。
【００３４】
また、ＰＳＤ１６ａ、１６ｂは、入射光の入射光位置と光量に依存した２つの電流信号を出力する半導体素子で、図３に示したオートフォーカス用集積回路（以下ＡＦＩＣと記す）１７ａ、１７ｂは上記電流信号をアナログ的に処理する集積回路である。
【００３５】
図５は、上記ＡＦＩＣ１７ａ内の回路を示すブロック図である。
【００３６】
ＰＳＤ１６ａはＩ１、Ｉ２という電流信号を出力するが、これら電流信号Ｉ１、Ｉ２は、ＰＳＤ１６ａのキャリア分割効果により、光の入射光位置をＸとすると、以下の関係を満たす。
【００３７】
【数３】
0003806687.tif 000004
【００３８】
この電流信号Ｉ１、Ｉ２は、各々プリアンプ１８、１９、及びトランジスタ２０、２１によりβ倍に増幅される。なお、βは上記トランジスタ２０、２１の電流増幅率である。
【００３９】
また、対のトランジスタ２２、２３と、２４、２５から成るカレントミラー回路によって、このβ倍に増幅された電流は電流加算されて、積分回路２６に入力され積分される。このように、積分回路２６からは、ＰＳＤ１６ａの電流信号和Ｉ１＋Ｉ２に依存した信号が出力される。なお、この電流信号和Ｉ１＋Ｉ２は、ＰＳＤ１６ａに入射した光量に依存する。
【００４０】
また、トランジスタ２０、２１のコレクタ電流の形で増幅されたＩ１、Ｉ２は圧縮ダイオード２７、２８に入力される。この圧縮ダイオード２７、２８の電流は、バッファ２９、３０を介して、エミッタを共通とし定電流源３１を接続した形の差動形に構成されたトランジスタ３２、３３のそれぞれのベースに入力される。
【００４１】
ここで、定電流源３１に流れる電流をＩφとし、抵抗３４に流れる電流をIOUTとすると、
ＩOUT ＝｛Ｉ１／（Ｉ１＋Ｉ２）｝＝Ｉφ              ・・・（７）
の関係が成立する。
【００４２】
したがって、図３に示したＣＰＵ３５が、抵抗３４の両端に発生した電圧出力を上記ＣＰＵ３５に内蔵する不図示のアナログ／デジタル（Ａ／Ｄ）変換器を介して読み込めば、上記（６）、（７）式を利用して、光の入射光位置Ｘを求めることができる。以上のような働きを持つＡＦＩＣ１７ａ、１７ｂの出力から、ＣＰＵ３５は、入射光位置Ｘ１、Ｘ２と反射信号光量を検出する。
【００４３】
したがって、上記入射光位置Ｘ１、Ｘ２を上記（５）式に代入すると、Ｓ１、Ｓ２、ｆｊはすでに決定している値なので、水の屈折率を加味して、被写体距離Ｌが求められる。以上が、第２実施形態の測距・水中検知部１１、ＣＰＵ３５の動作である。
【００４４】
次に、反射信号光量をＰとすると、Ｐと被写体距離Ｌの間には、被写体が所定の反射率を有するとき、空気中では以下の関係が成立する。
【００４５】
【数４】
0003806687.tif 000005
【００４６】
ここで、Ｐｏは比例定数である。
【００４７】
一方、水中では水の減衰定数αを考慮すると、反射信号光量Ｐは、
【数５】
0003806687.tif 000006
となる。なお、この減衰定数αは、水の塩分の濃度等によって変化する値である。
【００４８】
第２実施形態では、反射信号光量Ｐ、及び被写体距離Ｌを用いて、
【数６】
0003806687.tif 000007
により、減衰定数αを算出することが可能である。
【００４９】
次に、ＣＰＵ３５はこの算出された減衰定数αを上記（３）式に代入して、ストロボ部３６の制御を行う。ストロボ部３６は、Ｘｅ管３７の光を反射傘３７ａを介して照射するようになっており、Ｘｅ管３７はコンデンサ３８の電荷を放電して発光する。このコンデンサ３８は、整流ダイオード３９を介して、昇圧用ＤＣ／ＤＣコンバータ４０によって充電される。また、Ｘｅ管３７には、トリガ回路４１により高電圧が印加され、Ｘｅ管３７内がイオン化されることにより、Ｘｅ管３７は発光を開始する。
【００５０】
また、放電ループにはスイッチ４２が設けられており、これをＣＰＵ３５がオン／オフすることによりストロボ部３６のＸｅ管３７の発光時間を切り換え、発光量、すなわち、ＧＮｏを制御する。
【００５１】
同様に、露出制御用の上記ストロボ部３６のＸｅ管３７の発光と同じ原理で、オートフォーカス用のＸｅ管１３も発光制御され、放電用電荷を蓄えるコンデンサ４３と、これを充電するための充電回路４４、及び整流ダイオード４５が設けられている。そして、ＣＰＵ３５はトリガ回路４６を介して、オートフォーカス用のＸｅ管１３の発光制御を行う。
【００５２】
また、ＣＰＵ３５は、カメラのレリーズボタンに連動するレリーズスイッチ４７のオン／オフを検出し、さらに被写体の輝度を自動露出機構（Automatic  Exposure ： ＡＥ）部４８を介して検出する。
【００５３】
また、ＣＰＵ３５には、撮影レンズ４９の絞り値がエンコーダ等から成る絞り値入力部５０を介して入力され、ＣＰＵ３５はこれらの情報をもとにシャッタ５１等を制御して、撮影シーケンスを制御する。
【００５４】
図６は、上記第２実施形態のカメラの外観図の一例である。
【００５５】
同図に示すように、このカメラのカメラボディ６０には、オートフォーカス用の投光レンズ１４と受光レンズ１５ａ、１５ｂ、ストロボ発光部であるＸｅ管３７、レリーズ釦に連動するレリーズスイッチ４７、撮影レンズ４９、さらにグリップ部６１、ＡＥ用のセンサが被写体輝度を検出するための窓６２、ファインダの対物レンズ６３が配置されている。上記ファインダの対物レンズ６３は、水中での使用のため、通常のカメラのものよりも大型のものを採用している。
【００５６】
上記カメラボディ６０は、水中での利用に耐えられるように、防水耐圧構造となるよう工夫されている他、不図示の測光用のＡＥ部４８は、青一色の水中においても、正しい露出値が得られるように補正機能を有するものとする。
【００５７】
一般に、オートフォーカスの測距用光やストロボの光は、水中における光の減衰によって、被写体まで届かないと思われがちである。しかし、水中写真を分析してみると、図７（ａ）、（ｂ）のような写真が多く、一般に、陸上で撮影されるような集合写真のように、被写体が５ｍ以遠に存在する写真が撮影されることは、さらに水の透明度が良くないこと等を考慮すると、確率的に高くない。
【００５８】
例えば、図２に示した光の波長と吸収係数との関係を示した図より、可視光の吸収係数αを、０．１とすると、図７（ａ）に示したようなシーンでは広角レンズ使用時において、被写体距離Ｌ＝１．５ｍ程度なので、上記（３）式よりＦＮｏ＝２．８となり、このときのＧＮｏは、
【数７】
0003806687.tif 000008
となる。よって、通常のコンパクトカメラに搭載されたＧＮｏ＝８程度のストロボ装置でも、十分に水中での撮影に対応可能であることがわかる。
【００５９】
図８は、上記第２実施形態のカメラ（水陸両用カメラ）における撮影時のＣＰＵ３５の処理を示すフローチャートである。
【００６０】
ステップＳ１では、フリーズ釦が押されレリーズスイッチ４７がオンとなったか否かを判定し、オンとなったとき撮影シーケンスが開始したとして、ステップＳ２へ移行する。
【００６１】
ステップＳ２では、ＡＥ部４８を用いて被写体の明るさＢＶを求める。
【００６２】
次に、ステップＳ３では、オートフォーカス用のＸｅ管１３を発光させ、ＰＳＤ１６ａ、１６ｂからの出力をＡＦＩＣ１７ａ、１７ｂを介して、ＣＰＵ３５が受け取り、測距による被写体距離Ｌと反射信号光量Ｐの検出を行う。このステップＳ３での検出については、図５を用いてすでに説明してあるので、その説明は省略する。
【００６３】
次に、ステップＳ４、Ｓ５では、ＣＰＵ３５は測距・水中検知部１１を用いて水中か否かの検知を行う。第２実施形態では、図２に示したように水中において光の減衰が大きいという傾向を利用し、水中か否かの判定を行う。すなわち、ステップＳ４では、上記（１０）式より光の吸収係数αを算出するが、このとき、α＝０．０１程度の場合に水中であると判定する。
【００６４】
ただし、被写体の色調によっては、空気中（陸上）においてもα＝０．０１程度となる場合がある。このため、より確度を向上させたい場合には、図３に示したマスク１３ａを可動とし、画面内の複数のポイントに対し投光を行い、その結果が一率同じように、α＝０．０１程度となる場合にのみ、水中であると判定するようにしても良い。
【００６５】
また、このように画面内の複数ポイントが測距可能になると、他の効果として、図７（ｂ）に示したような画面内の中央以外に被写体が存在しても、正しいピント合せが可能となる。
【００６６】
次のステップＳ５では、ＣＰＵ３５は上記ステップＳ４での吸収係数αの値に基づいて、水中か否かを判定し、水中であると判定した場合はステップＳ６へ移行し、光の吸収係数αを加味したＧＮｏを算出する。
【００６７】
一方、上記ステップＳ５にて水中ではないと判定した場合には、ステップＳ１０に分岐し、上記（１）式よりＧＮｏを算出する。ただし、第２実施形態では、説明をわかりやすくするために、使用するフィルムの感度をＩＳＯ１００と仮定している。仮に、ＩＳＯ４００のフィルムを使用するときは、ＧＮｏは上記（１）式による計算結果の半分で良い。
【００６８】
次に、ステップＳ７、ステップＳ１１では、ＣＰＵ３５は被写体の明るさＢＶが、所定の値ＢＶ２、ＢＶ１より小さいか否かを判定する。そして、小さいときには、ステップＳ８へ分岐し、上記ステップＳ３での測距による被写体距離Ｌに従ってピント合せを行う。
【００６９】
続いて、ステップＳ９では、上記ステップＳ６またはステップＳ１０にて算出されたＧＮｏにより、ストロボ部３６のＸｅ管３７を発光させ、シャッタ５１を制御して露光を行う。
【００７０】
一方、上記ステップＳ７、ステップＳ１１にて、被写体の明るさＢＶが所定の値ＢＶ２、ＢＶ１より小さくないと判定したとき、すなわち、被写体の明るさが撮影に対して十分明るいと判定されたときには、ステップＳ１２へ分岐し、上記ステップＳ３での測距による被写体距離Ｌに従ってピント合せを行う。
【００７１】
続いて、ステップＳ１３では、ストロボ部３６の制御を行わず、シャッタ５１を所定時間開いて露光制御を行う。
【００７２】
以上説明したように、第２実施形態においては、測距部と水中検知部が測距・水中検知部１１として兼用されているので、単純かつ廉価なカメラが提供可能となる。
【００７３】
また、被写体の明るさによってストロボ部３６の作動を切り換える。判定ステップＳ７、Ｓ１１の判定レベルＢＶ１、ＢＶ２を水中と空気中（陸上）で切り換えるようにしたので、カメラのホールディングが悪く、手ぶれを起こしやすい水中において、なるべくストロボ発光が起こるように設定して手ぶれを対策するという効果が期待できる。
【００７４】
したがって、上記判定レベルＢＶ１とＢＶ２では、ＢＶ２の方を高めに設定しておき、被写体輝度が空気中と同じであって、空気中ではストロボ部３６のＸｅ管３７の発光を行う必要がない場合などにおいても、Ｘｅ管３７が発光されるようにしている。
【００７５】
また、第２実施形態では、露光用ストロボ光であるＸｅ管３７の発光と同じ波長分布を持つ光源をオートフォーカスに利用し、被写体距離Ｌと反射信号光量Ｐより１回の撮影ごとに実測して、光の吸収係数αを算出するようにした。これにより、水の状態によって小きざみにＧＮｏを制御することが可能となり、海水、真水などの違いにかかわらず、自動にて適正な露出の撮影が可能となった。
【００７６】
また、カメラの使用環境が水中であると判定したときには、常にストロボ部３６のＸｅ管３７を所定量発光させるように単純化することも有効である。
【００７７】
さらに、図４に示したように投光レンズ１５ａ、１５ｂやＰＳＤ１６ａ、１６ｂ等の受光系を２つ用意し、反射信号光のズレを補正できるようにしたので、ストロボ投光オートフォーカス時の、ビーム、すなわち投光光束の指向性の誤差についても対策でき、正しい測距が可能となる。
【００７８】
また、第２実施形態における水中検知部については、例えば、水と空気の屈折率の差をもとに水中か否かの判定を行う手法（図９参照）、抵抗値の差により水中か否かの判定を行う手法等、その他の手法を用いても応用可能である。
【００７９】
次に、本発明の第３実施形態に係るカメラについて説明する。
【００８０】
図９は、第３実施形態のカメラの主要部の構成を示す図である。
【００８１】
第３実施形態のカメラは、測距部にパッシブ方式のオートフォーカスを用い、水中検知部にプリズムの臨界角を応用したものであり、このカメラの主要部は、測距部７０、水中検知部７１、ＣＰＵ７２、ストロボ部７３から構成され、その他の構成については、第２実施形態と同一であるため、ここに編入するものとしその説明は省略する。
【００８２】
測距部７０はオートフォーカス用の受光レンズ７４、７５、センサアレイ７６、７７、カバーガラス７８、比較回路７９から成る、この比較回路７９は、センサアレイ７６、７７上の像の濃淡の位置関係を比較するための回路である。そして、上記比較回路は、その比較結果をＣＰＵ７２へ出力し、ＣＰＵ７２は上記比較結果より被写体距離を求める。上記測距部７０は、このような構成により測距用光を投光をしなくても、三角測距の原理に基づいた測距が可能となる。
【００８３】
また、水中検知部７１は、投光素子８０が投光する光をプリズム８１の臨界角を利用して受光素子８２に入射させ、この入射光を受光部８３により検出する。ここで、水中撮影時にプリズム８１の表面に水が接すると、上記プリズム８１の臨界角の条件がくずれて、光の結合が行われなくなるため、受光素子８２の入射光に変化が生じる。このときの入射光の変化による光強度の違いを受光部８３を介してＣＰＵ７２が検出し、水中か否かを検知する。
【００８４】
そして、ＣＰＵ７２は被写体距離Ｌと、カメラの使用環境が水中であるか否かによって、ストロボ部７３の発光する調光量を切り換える制御を行う。
【００８５】
また、空気中において、図１０に示すＣのようにセンサアレイ７６に入射する光線が、水中においては、カバーガラス７８を境とした水と空気の屈折率の差より、Ｄのようにセンサアレイ７６に入射する。
【００８６】
したがって、これは同一距離であっても屈折率の法則に従って、水中と、空気中とでは、測距データが変化してしまうことを意味する。単純化すると、水の屈折率ｎ１と空気の屈折率ｎ２の比は、
【数８】
0003806687.tif 000009
が成り立つので、測距結果Ｌから、水中における被写体測距Ｌｗは、
Ｌｗ＝（３／４）・Ｌ                              ・・・（１１）
にて求めることができる。
【００８７】
なおこれは、図３に示した第２実施形態において、水と空気の屈折率の差をもとに水中か否かの判定を行う手法を用いた場合についても考え方は同じである。
【００８８】
以上説明したように、第３実施形態では、図３に示した第２実施形態とは異なり、オートフォーカス用レンズが２つで済むので、カメラレイアウトの自由度が高まる。また、測距のための投光用のエネルギがいらないため、省エネルギ設計が可能である。
【００８９】
また、以上説明したように上記各実施形態によれば、水中においても、また空気中（陸上）においても自動的に正しい露出で写真撮影が楽しめる水陸両用カメラを単純な構成で提供することができる。
【００９０】
なお、本発明の上記実施形態によれば、以下のごとき構成が得られる。
【００９１】
（１）カメラの使用環境が水中であるか否かを判別する水中判別手段と、
撮影時に被写体に向け補助照明光を投射するストロボ手段と、
を備えたカメラにおいて、
上記水中判別手段の出力に応じて上記ストロボ手段の調光を可変ならしめる調光演算手段を具備したことを特徴とするカメラ。
【００９２】
（２）被写体に対して測距光束を投射し、その反射光量を測定する光量測定手段と、
上記測距結果と、上記光量測定結果とに基づき水中の光減衰率を求める算出手段と、
を具備し、上記光減衰率に応じて上記調光演算手段が、上記ストロボ手段を制御することを特徴とする上記（１）に記載のカメラ。
【００９３】
（３）カメラの使用環境が水中であるかを判別する水中判別手段と、
撮影時に被写体に向け補助照明光を投射するストロボ手段と、
を備えたカメラにおいて、
被写体輝度を判定する輝度検出手段と、
上記被写体輝度と所定の判定レベルとを比較して上記ストロボ手段の作動を決定する決定手段と、
を具備し、上記水中判別手段の出力に応じて、上記決定手段の判定レベルを変更することを特徴とするカメラ。
【００９４】
（４）上記特徴信号に応答して、撮影光学系光路内に光学補正部材が挿入されることを特徴とする上記（１）に記載のカメラ。
【００９５】
【発明の効果】
以上述べたように本発明によれば、カメラのホールディングが悪く、手ぶれを起こしやすい水中撮影において、ストロボ発光しやすくなるように被写体の明るさ判定レベルを切り換えているため、手ぶれの影響を軽減することができる。
【図面の簡単な説明】
【図１】第１実施形態のカメラの構成を示す図である。
【図２】海水中での光の吸収特性を示す図である。
【図３】第２実施形態のカメラの構成を示す図である。
【図４】第２実施形態での測距部の投光から受光までの光学系を示す図である。
【図５】第２実施形態でのＡＦＩＣ１７ａ内の回路を示すブロック図である。
【図６】第２実施形態のカメラの外観図の一例である。
【図７】一般的な水中写真の一例を示す図である。
【図８】第２実施形態のカメラ（水陸両用カメラ）における撮影時のＣＰＵ３５の処理を示すフローチャートである。
【図９】第３実施形態のカメラの主要部の構成を示す図である。
【図１０】光線の入射角度がカバーガラス７８を境とした水と空気の屈折率の差より、変化する様子を示す図である。
【符号の説明】
１  ＣＰＵ（Central Processing Unit）
２  測距部
３  水中検知部
４  ストロボ部
５  露出制御部
１１  測距・水中検知部
１２  被写体
１３  キセノン管（Ｘｅ管）
１３ａ  マスク
１４  投光レンズ
１５ａ、１５ｂ  受光レンズ
１６ａ、１６ｂ  半導体光位置検出素子（ＰＳＤ）
１７ａ、１７ｂ  オートフォーカス用集積回路（ＡＦＩＣ）
１８、１９  プリアンプ
２０、２１、２２、２３、２４、２５  トランジスタ
２６  積分回路
２７、２８  圧縮ダイオード
２９、３０  バッファ
３１  定電流源
３２、３３  トランジスタ
３４  抵抗
３５  ＣＰＵ（Central Processing Unit）
３６  ストロボ部
３７  キセノン管（Ｘｅ管）
３７ａ  反射傘
３８  コンデンサ
３９  整流ダイオード
４０  ＤＣ／ＤＣコンバータ
４１  トリガ回路
４２  スイッチ
４３  コンデンサ
４４  充電回路
４５  整流ダイオード
４６  トリガ回路
４７  レリーズスイッチ
４８  ＡＥ部
４９  撮影レンズ
５０  絞り値入力部
５１  シャッタ
【図１】
0003806687.tif 000010
【図２】
0003806687.tif 000011
【図３】
0003806687.tif 000012
【図４】
0003806687.tif 000013
【図５】
0003806687.tif 000014
【図６】
0003806687.tif 000015
【図７】
0003806687.tif 000016
【図８】
0003806687.tif 000017
【図９】
0003806687.tif 000018
【図１０】
0003806687.tif 000019